Podtech/llm-jp-corpus-v4-ja_patent huggingface dataset:
(57)【要約】      （修正有）【課題】袋の開封を防止すると共に袋の内容物の改ざんおよびいたずらを防止し、また袋の内容物の改ざんやいたずらを見分けるための包装袋の開封防止機構の提供。【解決手段】スライダ４により開閉可能な密封チャック５を有する包装袋において、スライダ４をその密封位置に固定できるようにシール体１３を袋本体１に取付けたものである。【選択図】図１
0003102070.tif 000002
【実用新案登録請求の範囲】
【請求項１】
スライダにより開閉可能な密封チャックを有する包装袋において、スライダをその密封位置に固定できるようにシール体を袋本体に取付けた包装袋の開封防止機構。
【請求項２】
スライダが密封位置から移動しないようにシール体を密封チャックと共に袋本体に取付けた請求項１に記載の包装袋の開封防止機構。
【請求項３】
スライダが密封位置から移動しないようにシール体をスライダと共に袋本体に取付けた請求項１に記載の包装袋の開封防止機構。
【考案の詳細な説明】
【技術分野】
【０００１】
本考案はスライダにより開閉可能な密封チャックを有する包装袋の開封防止機構に関するものである。
【背景技術】
【０００２】
従来、包装袋の内容物、例えば、菓子、ココア、コーヒー、大豆、米、小麦粉、ペットフード等を少しづつ取り出して使用するため袋の上端部を密封するヒートシールの下側に開閉可能な密封チャックを取付け、袋の上端部のヒートシールと密封チャックとの間に形成したハサミの切断個所で切断して使用する保存に便利なチャック付き包装袋が周知である。
【０００３】
近年、スライダにより開閉可能な密封チャックを開口部に備え（特表２０００−５１６１１８号公報参照）かつ内容物の改ざんを防止するために密封チャックと袋本体との間にミシン目を有する隔壁仕切体を設けた（特表２００３−５１７９７５号公報参照）開閉の便利性が高いスライダタイプのチャック付き包装袋が開発された。
【０００４】
【特許文献１】特表２０００−５１６１１８号公報
【０００５】
【特許文献２】特表２００３−５１７９７５号公報
【考案の開示】
【考案が解決しようとする課題】
【０００６】
上述した従来周知のチャック付き包装袋においては、切断個所をハサミで切断しなければならず開封が不便であり、また開封後に使用するチャックの開封と密封が不安定で不確実である。
【０００７】
更に、上述したスライダタイプのチャック付き包装袋においては、スライダを移動させることにより袋の開閉が容易かつ確実であるが、しかしスライダを密封位置から開封位置にスライドさせることにより袋を容易に開封できるので、袋の開封後に隔壁仕切体を手で切って袋の内容物を容易に改ざんまたはいたずらできる危険があり、更に内容物を改ざんまたはいたずらした後にスライダを元の密封位置にもどしておけば、内容物が改ざんまたはいたずらされているか否かを識別することはできない。
【０００８】
本考案の目的は袋の開封を防止すると共に袋の内容物の改ざんやいたずらをも防止し、また袋の内容物が改ざんまたはいたずらされているか否かを容易に識別することができるスライダタイプのチャック付き包装袋の開封防止機構を提供することにある。
【課題を解決するための手段】
【０００９】
本考案による包装袋の開封防止機構はスライダにより開閉可能な密封チャックを有する包装袋において、スライダをその密封位置に固定できるようにシール体を袋本体に取付けたものである。
【００１０】
本考案に係る開封防止機構はスライダが密封位置から移動しないようシール体を密封チャックと共に袋本体に取付けるか、又はシール体をスライダと共に袋本体に取付けてある。
【考案の効果】
【００１１】
本考案はシール体を破損させない限り、スライダを移動できないので、袋の開封を防止でき、又袋の内容物の改ざんやいたずらをも防止でき、更にシール体の破損により袋の内容物の改ざんやいたずらを容易に見分けることができる。
【考案を実施するための最良の形態】
【００１２】
図において、符号１はプラスチック製シートの袋本体を示し、袋本体１は表面側シート２と背面側シート３とを有し、その開口部にはスライダ４により開閉可能な密封チャック５を取付けてある。密封チャック５は雌トラック６と雄トラック７から構成され、雌トラック６は中央部で折り畳んだプラスチック製シートからなるＶ字状の隔壁仕切体８の一方の仕切壁９に取付けられ、雄トラック７は隔壁仕切体８の他方の仕切壁１０に取付けられている。隔壁仕切体８は手で容易に切断できるようにミシン目または薄肉破断部を形成してある。
【００１３】
雌トラック６と雄トラック７とから成る密封チャック５にはスライダ４が嵌合され、両トラック６，７に沿ってスライダ４を図１に実線で示した密封位置から図１に二点鎖線で示した開封位置に又は開封位置から密封位置にスライドさせることにより密封チャックを開閉することができ、隔壁仕切体８の両側部を袋本体１の表面側シート２と背面側シート３の両側部にヒートシールすると共に仕切壁９を表面側シート２にそして仕切壁１０を背面側シート３にヒートシールすることにより密封チャック５を袋本体１の開口部に取付けることができる。
【００１４】
袋本体１の開口部に取付けた密封チャック５の両側部にはスライダ４が袋本体１のシート２，３の両側部を損傷しないようにスライダ４用のストッパ１１，１２を取付け、またスライダ４を密封チャック５の密封位置で固定できるように密封チャック５には切欠部（図示せず）を形成してある。
【００１５】
スライダ４を密封チャック５の密封位置に固定させるために、密封チャック５の密封位置に位置付けさせたスライダ４の後側の密封チャック５を両側から挟持するようにシール体１３を密封チャック５と袋本体１とに貼付け、スライダ４が密封チャック５に沿って密封位置から開封位置にスライドできないようにしてある。従って、スライダ４はシール体１３が密封チャック５と袋本体１とから取り外されない限り移動することはできない。
【００１６】
また、シール体１３は図１に二点鎖線で示すように密封位置のスライダ４自体を両面または片面から挟持するようにスライダ４と袋本体１とに貼付けることもでき、シール体１３によりスライダ４自体を密封チャック５に沿って移動できないようにしてある。シール体１３は開封防止手段として、裏面に接着剤を塗布したシートから構成されているが、剥離テープやリボンから構成することもできる。
【図面の簡単な説明】
【００１７】
【図１】包装袋の開封防止機構の正面図である。
【図２】図１のＡ−Ａ線に沿う縦断側面図である。
【符号の説明】
【００１８】
１      袋本体
２      表面側シート
３      背面側シート
４      スライダ
５      密封チャック
６      雌トラック
７      雄トラック
８      隔壁仕切体
９      仕切壁
１０    仕切壁
１１    ストッパ
１２    ストッパ
１３    シール体
【図１】
0003102070.tif 000003
【図２】
0003102070.tif 000004
(57)【要約】【課題】  一般的な植木鉢は上部が広く下部が細いバランスの悪い形状をしており、植えられた植物の枝葉が大きくなるほど風によって転倒して枝が折れるなどのダメージをうけやすくなるが、簡単な防止策は見当たらない。【解決手段】  植木鉢を固定せずに転倒を防止するには、鉢の床面積を広げ重量を重くすることが必要であり、鉢の置かれた床面に接地するように、厚み・重量・柔軟性のある例えばゴム質の様な帯状部材を鉢に密着するように巻き付けて固定し、風に対して安定させる。【選択図】  図１
0003102066.tif 000002
【実用新案登録請求の範囲】
【請求項１】
植木鉢の下部に床面に接地するように厚みと重量のある可撓性を有する帯状物を巻き付けて、その端部を留め具で固定したことを特徴とする植木鉢の転倒防止具。
【請求項２】
植木鉢の下部に床面に接地するように厚みと重量のある可撓性を有する帯状物を巻き付けて、その端部を留め具で固定した植木鉢の転倒防止具において鉢に巻きつける帯状物の先端部分はテーパー状に厚みを徐々に薄くし、かつ帯状物の幅の上部側半分程度には適宜の幅で切れ目を入れたことを特徴とする植木鉢の転倒防止具。
【考案の詳細な説明】
【技術分野】
【０００１】
本考案は既存の植木鉢を風などに対して転倒しにくくするための転倒防止具に関するものである。
【背景技術】
【０００２】
植木鉢の転倒を防止するには、コンクリートブロック等で隙間無く囲むなどの方法以外にはこれまでに適当な方法は見当たらなかった。
【考案の開示】
【考案が解決しようとする課題】
【０００３】
植木鉢の転倒を防止することを目的とする。
【課題を解決するための手段】
【０００４】
植木鉢の下部の細い部分に、鉢が置かれた床面に接するように、厚みと重量のあるゴム板のような可撓性を有する帯状物を鉢に密着して巻きつけ、留め具で固定することにより鉢底の実質面積を拡大し、重し効果も付加して転倒に対する安定性を向上させる。
【０００５】
前記帯状物と植木鉢との密着性を高め鉢と一体のものとさせる為、鉢に巻く帯状物の先端はテーパー上に厚みを徐々に薄くして重なり部分の段差を解消するとともに、帯状物の巻き幅の上部側半分程度には適宜の幅の切れ目を入れて、一般的に上部が広い鉢の形にもなじみやすいようにする。
【考案の効果】
【０００６】
植木鉢に巻きつけるゴム板材や軟質塩化ビニール材のような可撓性を有する帯状物の厚み・幅・巻き付け長さを色々と変化させることで、帯状物装着後の植木鉢の底面積や重量を自由に調整し、市販のさまざまなサイズ・形状の鉢に対しても風による転倒防止効果が得られる。
【考案を実施するための最良の形態】
【０００７】
ゴム板材や軟質塩化ビニール材のような可撓性を有する素材を、図１・図２のように鉢の置かれた床面に接するように帯状に鉢に巻き付けて、その端部を図２・図５のように留め具で固定するという簡単な方法で問題の解決が可能であり、図４の帯状物のサイズは鉢のサイズに合わせて丈の高い鉢には幅を広く、径の大きな鉢には長さを長く、重くするには厚みを厚くなどいく通りにも対応が出来る。
【０００８】
図４の様に帯状物の先端にテーパーをつけ、又、帯状物の上側の片面に適宜の間隔で切れ目を付けることで鉢と帯状物の密着性をより高め、その帯状物の端部の固定には、図５のような金属製もしくはエンビ製のようなクリップ状の留め具で簡単に固定が出来、その後の脱着や調整もきわめて簡単である。
【０００９】
例えば、高さ・外径共に１５ｃｍの植木鉢に装着する場合、図４の帯状材のサイズを幅６ｃｍ・長さ６０ｃｍ・厚み５ｍｍとし、切り込みの間隔を２ｃｍ・深さを３ｃｍとすると、図３のように先端のテーパー部分を内側にして強く巻き付けたときには、図２のように帯状物は上広がりになり鉢に密着する。
【００１０】
例えば、高さ２５ｃｍ・下部外径２０ｃｍの植木鉢に装着する場合は、帯状物のサイズを幅９ｃｍ・長さ７０ｃｍ位に置き換えるのが適当と思われる。
【図面の簡単な説明】
【００１１】
【図１】本考案の実施例となる鉢の転倒防止具を鉢に装着した状態を示す斜視図。
【図２】転倒防止具の鉢への装着時のＡ−Ｂ立断面図。
【図３】転倒防止具の鉢への装着時の平面図。
【図４】本考案の転倒防止具の斜視図。
【図５】留め具の斜視図。
【符号の説明】
【００１２】
１  可撓性を有する帯状物
２  留め具
３  帯状物先端のテーパー
４  帯状物上部片側の適宜等間隔の切り込み
【図１】
0003102066.tif 000003
【図２】
0003102066.tif 000004
【図３】
0003102066.tif 000005
【図４】
0003102066.tif 000006
【図５】
0003102066.tif 000007
(57)【要約】      （修正有）【課題】室内外の温度差によって出来るガラス面に付着する結露を防止する機構を提供する。【解決手段】サッシのガラスに、熱線を万遍なく貼る。電気は電源よりコードを介して取る。又、ソケットと温度コントローラーで、ＯＮ，ＯＦＦと、温度の高さ、即ち、熱線の熱の高さを制御する。【選択図】図１
0003102076.tif 000002
【実用新案登録請求の範囲】
【請求項１】
室の窓のガラスに、電源より電気を取って、温度コントロールできる熱線を、万遍なく貼り付けた窓の結露防止機構。
【考案の詳細な説明】
【技術分野】
【０００１】
本考案は、冬季などに室内と室外の温度差による結露を防止する機構に関する。
【背景技術】
【０００２】
最近の住宅、例えば、マンション、団地、一戸建て住宅は、気密性が強くなり、冬季のように外気の温度が低く、室内の温度が暖房器具などにより暖められ、室内外の温度差が広がるにつれ、窓の内側に結露が発生する。
【０００３】
窓の結露防止対策としては、ガラス戸を二重サッシにするとか、ガラス部分を複層ガラスにする等があるが、温度差が大きいと完全に結露が発生しないとは考えられない。室内外の温度差により結露が発生する可能性は大である。
【０００４】
又、ガラス戸を二重サッシにする時は、その取り付けに必要なスペースが必要になり、ガラス部分を複層ガラスにする時は、ガラスの重量が二倍位になり、既存のサッシの戸車などの部品では破損する可能性が高いものである。
【特許文献１】特記すべき先行文献なし。
【非特許文献１】窓に関し、各社のパンフレット等があるが、安価で確実性のあるものはない。
【考案の開示】
【考案が解決しようとする課題】
【０００５】
本考案は、室内外の温度差によって出来るガラス面に付着する結露を完全に近い状態で防止する機構を提供する。
【課題を解決するための手段】
【０００６】
本考案は、室の窓のガラスに、電源より電気を取って、温度コントロールできる熱線を、万遍なく貼り付けた窓の結露防止機構に関する。
【考案の効果】
【０００７】
室内外の温度差による結露を根本的に解決し、費用も余りかからなく、作業も簡単である。
【考案を実施するための最良の形態】
【０００８】
１はアルミサッシの枠であり、２は熱線、３はソケットと温度コントローラー、４は電源コードである。熱線２をガラスに具合良く万遍なく貼りつける。電気は、電源コード３先端の電源より取る。ソケットと温度コントローラーＯＮ，ＯＦＦと、温度を内外の温度に合わせて制御する。
このようにすることにより、熱線の熱によりガラスの結露は根本的に防止出来る。
【産業上の利用可能性】
【０００９】
簡単な構成で、根本的に窓ガラスの結露を防止し、広く用いられる可能性がある。
【図面の簡単な説明】
【００１０】
【図１】正面図である。
【符号の説明】
【００１１】
１  戸枠
２  熱線
３  ソケットと温度コントローラー
４  電源コード
【図１】
0003102076.tif 000003
(57)【要約】【課題】  特別な技術を必要とせず、誰でも簡単に１００％炭を作ることの出来る、炭を製作する装置を提供する。【解決手段】  外窯の中に木や竹を入れる室を持つ内窯を設け、内窯と外窯は間隔があり、外窯の下部にバーナーを設け、内窯と外窯の間の燃焼室で焼く。バーナーの火は、内窯の中央に当たるようにする。又、蓋で上部を密閉し、室に酸素を遮断して焼く。すると、内窯の中に入れた竹や木は、少しも灰となることがなく炭化する。【選択図】  図１
0003102079.tif 000002
【実用新案登録請求の範囲】
【請求項１】
外窯の中に間隔を置いて竹や木を入れる内窯を設け、該外窯の下部に該内窯に火を当てるバーナーを設け、上部に酸素を遮断する蓋を設けた炭を製作する装置。
【考案の詳細な説明】
【技術分野】
【０００１】
本考案は、炭を製作する装置に関する。
【背景技術】
【０００２】
従来の窯だと、焚き口を設けて中の竹や木に火が移動してから、徐々に焚き口を狭めて密閉し、時間をかけて蒸し焼き状態にし、炭化が終わり、自然に冷まして窯出しをする。しかしこの方法は、竹や木が半分から三分の二にが灰になってしまい、それに時間が多くかかる。
【特許文献１】特記すべき先行文献なし。
【非特許文献１】各社のパンフレット等多数あるが、いずれも本装置の数倍以上の価格で、用法も簡単に用いることはできない。
【考案の開示】
【考案が解決しようとする課題】
【０００３】
本考案は、短時間で、中の竹や木が１００％炭となる炭を製作する装置を提供する。
【課題を解決するための手段】
【０００４】
本考案は、外窯の中に間隔をおいて竹や木を入れる内窯を設け、該外窯の下部に該内窯に火を当てるバーナーを設け、上部に酸素を遮断する蓋を設けた炭を製作する装置に関する。
【考案の効果】
【０００５】
本装置により、竹や木が１００％炭になり、又、時間が早く炭化する。考案者の製作した窯では、約３ヶ月〜半年乾燥した竹で、小型で２．５時間、中型で３時間、大型の１５０リットルでも４時間前後で炭となる。木炭の場合は、若干それより時間がかかるが、３０分〜４０分余りかかるのみである。
【０００６】
又、空気調整は必要ないので、技術を要せず、誰でも簡単に炭焼きができる。
内窯の中の竹や木に直接火が触れず、酸素を遮断して加熱するので、種々の優れた効果を発する。
又、一切灰とならず、１００％炭となる特徴は大である。
【考案を実施するための最良の形態】
【０００７】
窯は外窯１と内窯２の二重構造になっている。内窯２は、間隔を置いて外窯１の中に入っている。外窯１には、下部より、灯油バーナー３が入り、火が内窯２の中央に当たるようになっている。竹や木は、内窯２の中の室４に入れる。室４の上部には、竹や木を入れてから、密閉するための蓋５を設ける。
【０００８】
室４の下部に管６を設け、それは外へ出て、熱交換器７に接続し、熱交換器７は、直立して重なっており、内側のパイプ８に煙を通し、外側のパイプ９に水を通す。
熱交換器７の上部の中央は煙突１０と、側部は冷却水出口１１となる。
【０００９】
又、外窯１の上部に排気管１２を設ける。又、熱交換器７の下部には、冷却水入口１３があり、内側のパイプの直下には、弁１４があり、下部５で竹酢液等を採取する。
【００１０】
作り方は、竹や木を内窯２の室４の中に入れ、蓋５を閉め酸素を遮断し、灯油バーナー３の火で、外窯１の中で内釜２に当て焼く。尚、Ａは燃焼室である。
【００１１】
本装置では、二重構造となっており、内窯の中に入れた竹や木には、一切火が直接触れず、初めから酸欠状態で、外窯と内窯の間の燃焼室で加熱するものである。
【００１２】
又、副産物として取れる竹酢液や木酢液も、竹や木に直接火が触れないので、タール分の少ない、純度の高い液体が出来る。
【００１３】
一般的な窯に比べて、液体が５倍から１０倍位採取できる。それを１日から２日    するだけで、澄んだ茶褐色の色になり、すぐに蒸留することができる。
【００１４】
又、窯は、全てステンレスにより作られるので、耐久性が良く、安心して楽しい炭焼きができる。
【００１５】
又、バーナーは、一時間に３リットル消費の灯油バーナーを用いるが、他に薪を焚いて行うことも出来る。内窯の温度は最高７００℃前後となる。
又、熱交換器は、中央の煙を外側の水で冷却して行うものである。
【産業上の利用可能性】
【００１６】
特別な技術を要せず、誰でも出来、且つ竹や木が灰とならず１００％炭となり、又、従来のものより一装置の製作コストも安く、この分野で広く用いられる可能性は大である。
【図面の簡単な説明】
【００１７】
【図１】側面の断面図である。
【符号の説明】
【００１８】
１  外窯
２  内窯
３  灯油バーナー
４  室
５  蓋
６  管
７  熱交換機
８  内側のパイプ
９  外側のパイプ
１０  煙突
１１  冷却水出口
１２  排気管
１３  冷却水入口
１４  弁
１５  下部
Ａ  燃焼室
【図１】
0003102079.tif 000003
(57)【要約】【課題】  ゴミ袋をゴミ箱から取り出す際の取り出しずらさを解決する。【解決手段】  ゴミ袋を中から支えることにより、外からの圧力をなくし本体を抜くだけでよいようにした。【選択図】  図２
0003102086.tif 000002
【実用新案登録請求の範囲】
【請求項１】
ゴミ袋を中から支えることにより、ゴミ袋をゴミ箱から取り出しやすいようにしたゴミ袋の形状維持器。
【請求項２】
中に持ち手があり、形態を抜く時や持ち運びの際持ちやすいようにしたゴミ袋の形状維持器。
【請求項３】
ゴミ袋ストッパーが付いており、ゴミを捨てる時ゴミ袋が外れるのを防いだゴミ袋の形状維持器。
【考案の詳細な説明】
【技術分野】
【０００１】本考案はゴミ袋の容量を最大限に利用するために、ゴミ袋の形状を固定、維持するための本体をゴミ袋の中に入れて、ゴミ袋自体がゴミ箱になるようにしたものである。
【背景技術】
【０００２】持ち手があり、ストッパーが付いているものはなかった。【０００３】
【実用新案文献１】
登録実用新案第３００８６６６号
【考案の開示】
【考案が解決しようとする課題】
【０００４】ゴミ袋をゴミ箱から取り出す時、ゴミを詰め過ぎて外からのゴミ箱の圧力で取り出しずらくなったり、ゴミ袋とゴミ箱の容量が合わずゴミ袋の容量が使い切れていないという難点があった。本考案はこの課題を解消するためなされたものである。
【課題を解決するための手段】
【０００５】ゴミ箱の箱をなくし、中にゴミ袋の形を維持する本体を入れることで取り出す際の外からの圧力がなくなり、中から本体を抜くだけでよいようにした。また、ゴミ袋を中から支えることにより外から押さえ付けられないのでゴミ袋の容量いっぱい使用できるようにした。
【考案の効果】
【０００６】ゴミ袋を中から支えることにより、ゴミ袋を取り出す時に無駄な力を入れずにすみ、なおかつゴミ袋を最大限に使用できるのでゴミ袋が節約できる。
【図面の簡単な説明】
【０００７】
【図１】    本体を示した平面図である。
【図２】    考案したゴミ袋の形状維持器の使用状況をしめす平面図と立体図である。
【符号の説明】
【０００８】      １  形態
２  持ち手
３  ストッパー
【図１】
0003102086.tif 000003
【図２】
0003102086.tif 000004
(57)【要約】【課題】本考案は紙とネジという簡単な構造で、しかも風を吹き付けて回転させる独楽を提供する。【解決手段】本考案は一枚の紙から回転翼付き円盤及び補強盤を作り、市販のネジで回転軸を構成して息などの風を吹き付けて回す風独楽を実現する。【選択図】  図１
0003102085.tif 000002
【実用新案登録請求の範囲】
【請求項１】
１枚の薄い板を切り抜き、折り曲げることにより同心円上の等間隔に位置する複数個の回転翼１ａを形成した円盤１の中央部分に突出部を設け回転軸２とした風で回す独楽。
【考案の詳細な説明】
【技術分野】
【０００１】
本考案は、円盤の中央部分に突出部を設け回転軸となす独楽に関するものである。
【背景技術】
【０００２】
木材などで作られた厚みのある独楽がある。
（例えば、特許文献１参照）
【０００３】
この改善策として、飛ばすことを目的とした円盤遊具から円盤の表の中央部分に突出部を設け、同表の縁部分に化学薬品を利用した発光チューブを差し込むための差し込み凹部を設け、独楽にした。
【特許文献１】第３０３０８１６号  登録実用新案公報
【考案の開示】
【考案が解決しようとする課題】
【０００４】
これらのものは、手作りが難しく、特に小型の物ほど難しい、また、手や紐又は回転道具で回すため、幼い子供には遊ぶにも難しく、更に安価では無いなどの欠点があった。
【課題を解決するための手段】
【０００５】
本考案は、一枚の紙に形を描き、外周、回転翼部を切り折り曲げることにより回転翼付き円盤を作成し、市販のネジを１個中央部に取り付けこれを回転軸にして独楽となし、ストローを用いて上部よりこの軸に息を吹き付け、この息が回転翼部に当たりこれを動かし回転させる独楽を提供する。
【考案の効果】
【０００６】
本考案は、以下の作用効果が期待できる。
（イ）一枚の紙と市販のネジ１個で独楽が出来、ストロー１本で回すことが出来る。
（ロ）構造が非常に簡単なため、幼児でも作成でき、回すことが出来る。
（ハ）紙１枚、市販のネジ１個、ストロー１本で作って回すことが出来るため、非常に安価である。
【考案を実施するための最良の形態】
【０００７】
本考案は、一枚の紙に外周と角度を設けて放射状に配した回転翼となる図形を描き、外周と回転翼部を切り、更に回転翼部を折り曲げることにより回転翼付き円盤（１）、（１’）を作成し、市販のネジ（２）を１個中心部に取り付けこれを回転軸にして独楽となし、ストローを用いて上部よりネジの頭に息を吹き付け、この息が円盤（１）、（１’）の回転翼部（１ａ）、（１ａ’）に当たりこれを動かし回転させる。
【実施例１】
【０００８】
以下、添付図面に従って一実施例を説明する。図１において、（１）は円周上に等間隔に並んだ複数個の回転翼部を有する円盤、（２）は回転翼付き円盤（１）の中央部分に取り付けた市販のネジ、（３）は回転翼付き円盤（１）が薄すぎる場合に接着して補強する補強用円盤又はドーナツ盤である。図２において、一枚の紙から外周と回転翼（１ａ）を切って作った回転翼付き円盤（１）で、穴（１ｂ）は回転翼を折り曲げた時に出来た物である。これらの回転翼（１ａ）は、回転力を得るため適度な半径（１ｃ）の円周上に適度な傾き（１ｄ）を有する。市販のネジ（２）を使用する代わりに回転翼部付き円盤（１）の中心部を鋭利な型で突出させて形成しても良い。
【実施例２】
【０００９】
図３において、（１’）は円周上に等間隔に並んだ複数個の回転翼部を有する円盤、（２）は回転翼付き円盤（１’）の中央部分に取り付けた市販のネジ、（３）は回転翼付き円盤（１’）が薄すぎる場合に接着して補強する補強用ドーナツ盤である。図４において、一枚の紙から外周と回転翼（１ａ’）を切って作った回転翼付き円盤（１’）で、穴（１ｂ’）は回転翼を折り曲げた時に出来た物である。これらの回転翼（１ａ’）は、回転力を得るため適度な角度で折り曲げ、回転軸を中心に放射状に配置されている。
次に使用法を説明する。
この回転翼付き円盤の大きさに応じた太さのストローで息を直接ネジの頭に吹き付ける。そうするとネジに当たった息は円周上に配置した回転翼に当たり回転力を与えることにより円盤が回転する。
【図面の簡単な説明】
【００１０】
【図１】風独楽の構成を示す断面図である。（実施例１）
【図２】回転翼付き円盤の正面図である。（実施例１）
【図３】風独楽の構成を示す断面図である。（実施例２）
【図４】回転翼付き円盤の正面図である。（実施例２）
【符号の説明】
【００１１】
１    回転翼付き円盤
２    ネジ
３    補強用円盤
４    ストロー
１’  回転翼付き円盤
３’  補強用ドーナツ盤
【図１】
0003102085.tif 000003
【図２】
0003102085.tif 000004
【図３】
0003102085.tif 000005
【図４】
0003102085.tif 000006
(57)【要約】【課題】  ＲＧＢの３原色のＬＥＤチップを１パッケージにしたＬＥＤデバイスをライン状又は面状に配置して点光源からフルカラーのライン又は面光源とする。【解決手段】  ＲＧＢ３原色のＬＥＤチップを１パッケージに入れたフルカラーＬＥＤデバイスを複数個直列に、放熱を兼ねたメタルベースのプリント配線板に並べて接続してライン状のフルカラーＬＥＤ光源とするもので、不足する光量を点光源の集合で補う。【選択図】  図１
0003102096.tif 000002
【実用新案登録請求の範囲】
【請求項１】
フルカラーＬＥＤデバイスを放熱を兼ねたメタルベースのプリント配線板上に複数個直線状に配列して接続したことを特徴としたフルカラーラインＬＥＤ光源ランプ。
【考案の詳細な説明】
【技術分野】
【０００１】
本考案は、フルカラーＬＥＤデバイスを複数個直列に配したＬＥＤラインランプに関する。
【背景技術】
【０００２】
一般に使用されている白熱電球は電球形蛍光灯への置き換えが進んでいるが、ＬＥＤランプはさらに長寿命、低消費電力であり、蛍光管のように水銀を使っていないため環境対策を含めた次世代の照明用光源として期待できる。
【特許文献１】実用新案登録第３０９７３３３号公報
【考案の開示】
【考案が解決しようとする課題】
【０００３】
ＬＥＤは点光源であるため蛍光灯への置換えは、それらを効率良く集合させ、また接続することが必要となり、さらに集合させることによって生じるＬＥＤデバイスからの熱を効率よく放熱させることでＬＥＤの劣化を防止する必要がある。またフルカラーＬＥＤデバイスは携帯電話の着信表示や内蔵カメラの夜間照明用として開発されているが単体では一般照明用として光量が不足している。
【課題を解決するための手段】
【０００４】
考案者は、この点に鑑み鋭意研究を重ねた結果本考案に到達したものであって、本考案はＲＧＢ３原色のＬＥＤチップを１パッケージに入れたものを複数個直列に、放熱を兼ねたメタルベースのプリント配線板上に並べて接続することによってライン状のフルカラーＬＥＤ光源を得るものである。
【考案の効果】
【０００５】
このように本考案は、ＬＥＤチップ単体では一般照明として光量が不足していたものを複数個直列に配して、ライン状のフルカラーＬＥＤ光源ランプとしたことによって、長寿命、低消費電力の照明具として一般照明、インテリア照明、アーケードゲーム、アミューズメント施設等の照明など広く利用できるものになった。
【考案を実施するための最良の形態】
【０００６】
ＲＧＢ３チップを１パッケージに入れたフルカラーＬＥＤデバイスを複数個直列に放熱を兼ねたメタルベースのプリント配線基板上に並べて接続したＬＥＤランプであって、効率のよい放熱体を配線板としたライン状のフルカラーＬＥＤ光源ランプとすることによって、使用可能とする。
【実施例】
【０００７】
添付図面により本考案の実施例を説明すると、図１は、プリント基板Ａの表面を示す正面図であり、図２は同裏面図である。図中の符号（１）はフルカラーＬＥＤデバイスを示していて、プリント基板Ａに対して直列に複数個（図示にあっては１０個）配列されている。符号（２）はコネクターである。
【０００８】
図２はプリント基板Ａの裏面を示している。図中の（３）はプリントされた配線である。図示されるものは実際に使用されている原寸である。
図３は拡大した断面図であって、フルカラーＬＥＤデバイスとコネクターの配置を示している。
【産業上の利用可能性】
【０００９】
主に携帯電話用として開発されたフルカラーＬＥＤデバイスを複数個直列にプリント基板上に並べて接続し、ライン状のフルカラーＬＥＤ光源ランプとして利用できるようにする。
【図面の簡単な説明】
【００１０】
【図１】正面図を示す実施例図
【図２】背面図を示す実施例図
【図３】拡大断面図
【符号の説明】
【００１１】
１  フルカラーＬＥＤ
２  コネクター
３  配線
Ａ  基板
【図１】
0003102096.tif 000003
【図２】
0003102096.tif 000004
【図３】
0003102096.tif 000005
(57)【要約】      （修正有）【課題】耐熱性を保つために材質を融点温度の高い金属を用いて高温環境での使用を可能にし、また、軽量化したウエハーラックを提供する。【解決手段】ウエハーラックの収納側板１を、融点温度が高い薄い金属板とし、この金属板をウエハーが収納できる形状に折り曲げ、補強が必要な箇所は溶接を行い、凹凸形状を維持する構造とする。【選択図】図２
0003102092.tif 000002
【実用新案登録請求の範囲】
【請求項１】
金属板を凹凸形状に折り曲げた収納側板１を、左右対称になるように側板ベース２に溶接で一体化し、ステー３及び背面板４を収納側板１が対面するように固定したウエハーラック。
【考案の詳細な説明】
【技術分野】
【０００１】
本考案は、軽量で耐熱性を有するウエハーラックに関するものである。
【背景技術】
【０００２】
半導体製造工程の中でウエハーラックは製造過程の目的により、形状や材質の異なる物を使用している。製造工程によっては、高温熱処理を必要とする工程では、ウエハーラックも耐熱性が求められ、材質は石英や金属で製作された物が多く使用されている。シリコンウエハー等の高温熱処理を行なう実用上は十分であった。
【０００３】
しかし、石英は耐熱性には優れているが、課題である衝撃に弱いことや製作費が高価である等の欠点も多い。また、従来の金属製ウエハーラックは、図４で示す８側板である金属板を凹凸形状に削り出して製作されている為、重量が重たく金属部の体積が大きいことでシリコンウエハーを高温上昇させる為には時間が掛り、返対に高温状態から温度を下げる場合も時間が必要である。
【０００４】
この改善策として、金属部の体積をできるだけ少なくすることで重量を軽くし、熱伝導性を良くする方法として考案したウエハーラックが図３である。凹凸状に薄い金属板を折り曲げた１の収納側板を２の側板ベースに溶接する方法で、従来の金属製ウエハーラックに比べ重量は１/３になり、耐熱性も使用する金属板の耐熱特性が得られる。また、体積が１/３にできることで熱伝導が良くなり、温度上昇や冷却時間が短縮できる。製作費用も薄い金属板を使用することで、材料費が安価になりコストメリットも大きい。
【特許文献１】なし
【非特許文献１】なし
【考案の開示】
【考案が解決しようとする課題】
【０００５】
従来のウエハーラックは耐熱環境で使用できる物は、石英や金属で製造されている物が多い。石英製の欠点は製作が困難で衝撃に弱い。また、金属製のウエハーラックは、重量が重く持ち運びが困難であったり、軽量であっても耐熱温度が低いなどの欠点があった。
【課題を解決するための手段】
【０００６】
本考案は、耐熱性を保つために材質を融点温度の高い金属を用いて高温環境での使用を可能にした。また、従来の金属製ウエハーラックの欠点である重量が重い課題を解決するために、製作材料の金属に薄い板を使用した。この金属板をウエハーが収納できる形状に折り曲げ、補強が必要な箇所は溶接を行い、凹凸形状を維持する構造にすることで、本考案のウエハーラックは使用する金属の体積が小さくなり、従来の金属製ウエハーラックに比べ重量が１／３にできた。
【考案の効果】
【０００７】
従来のウエハーラックは半導体生産工場内で製造工程の目的によりウエハーラックの種類を変更する必要性があった。搬送や洗浄の工程では、軽量で耐薬品性などを考えて取り扱い易いプラスチック製が多く使われている。また、高温で熱処理が必要な工程では、石英や金属、セラミックスの材質のウエハーラックが多く使われている。従って製造工程で用途によってウエハーラックにウエハーを移し替える作業を何度も行う必要がある。本考案は、製造工程でウエハーを高温熱処理する場合も搬送や洗浄工程にも使用できるため、移し変え作業が大幅に削減できると共に安価に製作できて衝撃にも強く取扱が便利なウエハーラックである。
【考案を実施するための最良の形態】
【０００８】
ウエハーラックの構成部品で最大重量であるウエハーを収納する図４で示す８側板に注目し、この部品の軽量化、低価格化を実現した。
【実施例１】
【０００９】
図１は、ウエハーラックの平面図で１から６は、その構成部品である。
【００１０】
構成部品中１.２は前述の最大重量部品である。１.２を板状の物で構成する事により軽量化した。
【００１１】
６インチ用２５段ウエハーラックの場合
0003102092.tif 000003
【産業上の利用可能性】
【００１２】
工程中に高温処理を持つ製造工程で、高温専用容器に移し替え作業を行なっている工程にも適用できる。
【図面の簡単な説明】
【００１３】
【図１】本図は考案のウエハーラックがウエハーを収納した状態の平面図と考案のウエハーラックがウエハーを収納した正面図である。（実施例１）
【図２】本図は収納側板を凹凸に折り曲げて、側板ベースに溶接した拡大立体図である。
【図３】本図は従来の金属製ウエハーラックのウエハーを収納した拡大立体図である。
【符号の説明】
【００１４】
１    収納側板
２    側板ベース
３    ステー
４    背面板
５    ストッパー
６    位置決めピン
７    ウエハー
８    側板
【図１】
0003102092.tif 000004
【図２】
0003102092.tif 000005
【図３】
0003102092.tif 000006
(57)【要約】【課題】  ＲＧＢ３原色のＬＥＤチップを１パッケージにしたＬＥＤデバイスを点光源として、機器への組込みを容易にし、光源からのカラー制御が可能であって、また発生する熱対策がランプ単体で行われる機構とする。【解決手段】  ＲＧＢ３原色のＬＥＤチップを１パッケージに入れたフルカラーＬＥＤデバイスを円筒形のホルダー及び放熱翼を多段に設けた放熱体に装着し、効率のよい放熱と機器に組込み易い形状とした。【選択図】  図１
0003102095.tif 000002
【実用新案登録請求の範囲】
【請求項１】
フルカラーＬＥＤデバイスＡを円筒形のホルダー（３）及び放熱翼（２）を多段に設けた放熱体（１）に装着したことを特徴とした機器組込み用のフルカラーＬＥＤランプ。
【請求項２】
ホルダー（３）の外側に外套（５）を設けたことを特徴とした請求項１に記載のフルカラーＬＥＤランプ。
【請求項３】
ホルダー（３）の先端に椀形の反射鏡（８）を設けたことを特徴とした請求項１に記載のフルカラーＬＥＤランプ。
【請求項４】
フルカラーＬＥＤデバイスＡの先端にレンズ（１０）を設けたことを特徴とした請求項１に記載のフルカラーＬＥＤランプ。
【考案の詳細な説明】
【技術分野】
【０００１】
本考案は、フルカラーＬＥＤデバイスを用い、機器等に組込み用として使用するフルカラーＬＥＤランプに関する。
【背景技術】
【０００２】
ＲＧＢ３原色のＬＥＤチップを１パッケージに納めたＬＥＤデバイスを円筒形のホルダー及び放熱翼を多段に設けた放熱体に装着したもので、先端部に反射鏡やレンズを装着して、産業機器、計測機器、医療機器内に装填し、利用範囲を拡大することを目的とする。
【特許文献１】実用新案登録第３０９７３３３号公報
【考案の開示】
【考案が解決しようとする課題】
【０００３】
携帯電話用の着信表示、内蔵カメラの夜間照明用として開発されたＬＥＤであっても、連続して点灯させるには効率のよい放熱と、機器内への組込み易い形状が必要とされている。
【課題を解決するための手段】
【０００４】
考案者は、この点に鑑み鋭意研究を重ねた結果本考案に到達したものであって、フルカラーＬＥＤデバイスを円筒形のホルダー及び放熱翼を多段に設けた放熱体に装着し、機器組込み用の光源ランプとして容易に利用できるようにしたもので、更にこのＬＥＤランプに反射鏡やレンズを装着することによって、照度の高いＬＥＤランプの性能を一層高度な
ものとして精密機器への装填に適し、機器への点検や保守を容易にした。
【考案の効果】
【０００５】
上述のように本考案のフルカラーＬＥＤランプはアルミ製の放熱翼を多段に、しかも大きく設けることによって、ランプの点灯中の高熱を十分に拡散させることが可能なため、取付け機器に対して安全に装填することができ、機器の点検・保守に十分貢献することが可能となり、光源からのカラー制御が可能なため、従来のフィルターや個々の色毎にＬＥ
Ｄを配置する必要がなくなり、先端にレンズや反射鏡を設けることで指向角の制御が可能となる。
【考案を実施するための最良の形態】
【０００６】
本考案はフルカラーＬＥＤ光源ランプ１個のランプから色を変えた光を照射することで観察するものの違いを強調させて適切な点検が可能となる。
【実施例】
【０００７】
添付図面により本考案のフルカラーＬＥＤランプを説明すると、図１は、本考案のフルカラーＬＥＤランプの構造を説明する側面図（一部断面を示す）であって、（１）は多段に設けた放熱翼（２）を有する放熱体であり、（３）はフルカラーＬＥＤチップ（１）を保持するホルダーを示している。（６）はリード線を示す。
【０００８】
図２は、請求項２に記載の実施例図であって、ＬＥＤデバイスＡのホルダー（３）に外套（５）を設けた詳細断面図を示す。
【０００９】
図３は、請求項３に記載の実施例図であってねＬＥＤデバイスＡの先端に反射鏡（８）を装着した詳細断面図を示すものである。
【００１０】
図４は、請求項４に記載の実施例図であって、ＬＥＤデバイスＡの先端に外套（５）を装着し、更にその中にレンズ（１０）を設けたＬＥＤランプの詳細を示した断面図を示している。
【産業上の利用可能性】
【００１１】
本考案は、機器組込み用のフルカラーＬＥＤ光源ランプとして利用できるもので、更に先端に反射鏡やレンズを設けることによって応用範囲を拡大した。
【図面の簡単な説明】
【００１２】
【図１】請求項１のフルカラーＬＥＤランプの詳細断面図
【図２】請求項２のフルカラーＬＥＤランプの詳細断面図
【図３】請求項３のフルカラーＬＥＤランプの詳細断面図
【図４】請求項４のフルカラーＬＥＤランプの詳細断面図
【符号の説明】
【００１３】
１  放熱体
２  多段の放熱翼
３  ホルダー
５  外套
６  リード線
８  反射鏡
１０  レンズ
Ａ  フルカラーＬＥＤデバイス
【図１】
0003102095.tif 000003
【図２】
0003102095.tif 000004
【図３】
0003102095.tif 000005
【図４】
0003102095.tif 000006
(57)【要約】【課題】  壁収納家具を一部改良することにより、子供達が探検・冒険心をもって遊ぶことができ、しかも、満足することのできる探検通路を有する壁収納家具を開発・提供するものである。【解決手段】  一または複数の家具（１ａ，１ｂ，１ｃ・・・）を列設した収納家具において、それぞれの家具の一部に、探検用の通路（２）を形成すると共に、一部の家具に出入口（３）を形成したことを特徴とする探検通路を有する壁収納家具から構成されるものであり、また、一または複数列設した事務用家具等の家具において、その一部に通路に明かりとり穴（１０）を形成したことを特徴とする請求項１記載の探検通路を有する壁収納家具である。【選択図】      図２
0003102003.tif 000002
【実用新案登録請求の範囲】
【請求項１】
一または複数の家具を列設した収納家具において、それぞれの家具の一部に、探検用の通路を形成すると共に、一部の家具に出入口を形成したことを特徴とする探検通路および遊びスペースを有する壁収納家具。
【請求項２】
一または複数列設した事務用家具等の家具において、その一部に通路に明かりとり穴を形成したことを特徴とする請求項１記載の探検通路および遊びスペースを有する壁収納家具。
【考案の詳細な説明】
【技術分野】
【０００１】
この考案は、探検通路および遊びスペースを有する壁収納家具に関するものである。
【背景技術】
【０００２】
従来、幼稚園等の壁面に設置する壁収納家具は、単に、昼寝用の寝具や積木等のおもちゃ類の収納や、掃除道具入れ、ロッカー等が壁面に沿って設けられている。
【０００３】
しかし、壁収納家具は、室内に広い空間を保持するために、各家具を壁面に沿って、列接しているものであり、幼稚園児等の子供達にとっては、単に、広い場所で、しかも明るい場所でのみで遊ぶわけではなく、例えば，穴などの暗い場所に好んで入り込み、探検・冒険心をもって遊びたいものである。
【０００４】
しかしながら、教室等の室内のスペースは限られており、別に、探検することのできる施設を設けることは、費用がかかる等問題があった。
【考案の開示】
【考案が解決しようとする課題】
【０００５】
そこで、この考案は、既存に設置される壁収納家具を一部改良することにより、子供達が探検・冒険心をもって遊ぶことができ、しかも、満足することのできる探検通路および遊びスペースを有する壁収納家具を開発・提供するものである。
【課題を解決するための手段】
【０００６】
この考案は、一または複数の家具を列設した収納家具において、それぞれの家具の一部に、探検用の通路を形成すると共に、一部の家具に出入口を形成したことを特徴とする探検通路を有する壁収納家具であり、その家具の一部に通路に明かりとり穴を形成した探検通路および遊びスペースを有する収納家具である。
【考案の効果】
【０００７】
この考案によると、壁収納家具でありながら、その家具の中に通路を形成することにより、子供達に、探検・冒険心を培い・養うことにより、自立した園児教育を図ることができ、また、内部にテーブルや椅子等を持込み、ままごと遊び等の遊びができ、当然、従来とおり、収納家具としても使用でき、家具の奥行き寸法に厚みを増すことにより、収納家具が安定して置け、さらに、奥行き寸法の薄い家具も、これらの家具と一体に固定して列設することにより、倒れたりせず、安定性を増す等の効果を有するものである。
【考案を実施するための最良の形態】
【０００８】
この考案の一実施例を詳述すると、一または複数の家具（１ａ，１ｂ，１ｃ・・１ｇ）を列設した収納家具において、それぞれの家具の一部に、探検用の通路（２）を形成すると共に、一部の家具に出入口（３）を形成したことを特徴とする探検通路および遊びスペースを有する壁収納家具から構成されるものである。
【０００９】
尚、図１に基づいて、この考案の一実施例を具体的に説明すると、図面右端は、掃除道具入れ（１ａ）であり、通路は存在しない。
【００１０】
この掃除道具入れ（１ａ）に隣接の布団収納家具（１ｂ）には、下部に出入口（３）を設けており、上部に布団を収納できるように構成されている。
【００１１】
さらに、布団収納（１ｂ）には隣接してテレビ収納室（４）を上部に設け、中部には、園児の洋服等をかけておくロッカー（５ａ）となっており、下部には、キャスター付き収納棚（６ａ）を有する収納家具（１ｃ）が設けられている。
【００１２】
また、収納家具（１ｃ）に隣接して、上部に、背部に棚を有する掲示板（７ａ）を有し、中部には、園児の洋服等をかけておくロッカー（５ｂ）となっており、下部にキャスター付き収納棚（６ｂ）を有する収納家具（１ｄ）が設けられている。
【００１３】
さらに、収納家具（１ｄ）に隣接して、上部に、背部に棚を有する掲示板（７ｂ）を有し、下部に園児の洋服等をかけておくロッカー（５ｃ）と、出入り口（３）を設けた収納家具（１ｅ）が設けられている。
【００１４】
そして、これら布団収納家具（１ｂ）、収納家具（１ｃ）、収納家具（１ｄ）には探検用の通路（２）が設けられており、これらの各収納家具どうしは、該通路（２）が連通しているものである。
【００１５】
さらに、収納家具（１ｅ）に隣接して、探検用の通路（２）の存在しない、上部が、背部に棚を有する掲示板（７ｃ）で、中部が園児の洋服等をかけておくロッカー（５ｄ）、そして下部がキャスター付き収納棚（６ｃ）を有する収納家具（１ｆ）が設けられている。
【００１６】
そして、最後に、収納家具（１ｅ）に隣接して、上部に棚（８）を有し、下部にライティングビューロ（９）を有する家具（１ｇ）が設けられている。
【００１７】
尚、探検用の通路を有する収納家具には、ところどころに、通路に明かりとり穴（１０）を形成するものであり、それにより、通路内に光が射し、探検用の通路（２）を通る、怖さを半減させる効果もあり、この明かりとり穴は、開閉可能にしておけば、暗さを選択できる。
【００１８】
さらに、各収納家具の上端には、屋根（１１）や煙突（１２）を形成したりすることも可能である。さらに、通路（２）にテーブルや椅子等を持ち込んで、ままごと遊び等をすることも可能である。
【００１９】
しかし、図面において、この考案の一実施例を図示したが、これらの家具の数や形状・構造に限定されることなく、また、並べ方においても限定するものではない。
【産業上の利用可能性】
【００２０】
この考案は、壁収納家具の一部に探検用の通路を形成することにより、その製造技術および使用方法を確立し、かつ寄与する点で、産業上の利用可能性を有する。
【図面の簡単な説明】
【００２１】
【図１】この考案の一実施例を示す正面図である。
【図２】この考案の一実施例を示す平面図である。
【図３】図２中Ｘ−Ｘ断面図である。
【符号の説明】
【００２２】
１ａ，１ｂ等  家具
２  通路
３  出入口
１０  明かりとり穴
【図１】
0003102003.tif 000003
【図２】
0003102003.tif 000004
【図３】
0003102003.tif 000005
(57)【要約】      （修正有）【課題】磁気データが組み込まれている各種カード、通帳などの磁気データを防護する為に、磁気を通さない素材でつくったカバーである。【解決手段】磁気を通さない素材を２枚重ね、３辺を接着して、カバーをつくる。残った一辺を開口として、カード、通帳をスライドして出し入れする。【選択図】図１
0003102041.tif 000002
【実用新案登録請求の範囲】
【請求項１】
磁気を通さない素材の、カードと通帳の、カバー
【考案の詳細な説明】
【考案の詳細な説明】
この考案は、カードと通帳の、磁気を通さない素材でつくったカバーである。
従来は、磁気を通す素材であった為に、スキミングによる磁気データの盗難や、他の磁気による磁気データの破壊などがあった。
本案は、キャッシュカード、クレジットカード、預金通帳などの、磁気データが組み込まれている各種カード、通帳の磁気データを、防護する為に、磁気を通さない素材でつくったカバーである。
【図面の簡単な説明】
【図１】  本案の前面
【符号の説明】
１は、磁気を通さない素材を、２枚重ねた部分。
２の部分の側面からカードや通帳をスライドさせ、出し入れする。
３、４、５部分の端は接続して、袋状になっている。
【図１】
0003102041.tif 000003
(57)【要約】      （修正有）【課題】サインを書き込む以外の機能を有する色紙を提供する。【解決手段】色紙１は凹凸のある立体手型（大相撲力士、スポーツ選手、俳優、歌手等の芸能人、寺社等の僧侶、管長等々）を有するサイン色紙。サイン、詩歌、俳句等文言には点字を書き込み視覚障害の方々にも充分楽しめる立体手型色紙である。【選択図】図１
0003102043.tif 000002
【実用新案登録請求の範囲】
【請求項１】
大相撲力士、スポーツ選手、俳優、歌手等芸能人、寺社の僧侶管長等の凹凸のある立体手型を有し、サイン、詩歌、俳句等文言には点字を書き込み視覚障害の方々にも充分に楽しんでもらえる立体手型色紙。
【考案の詳細な説明】
【技術分野】
【技術分野】
【０００１】本考案は、色紙に関するものである。
【背景技術】
【背景技術】
【０００２】一般に、色紙には歌手やスポーツ選手がサインを行い、ファンはこの色紙を保存、部屋に飾ったりする。
【考案の開示】
【考案が解決しようとする課題】
【０００３】このように、色紙にはサインが記載されただけであり、視覚障害の方又は一部ファンはより身近かな色紙を求める傾向もみられる。【０００４】本考案は、これを解決することを目的に考え、サインを書き込む以外の機能を有する色紙を提供することにある。
【課題を解決するための手段】
【０００５】前述した目的を達成するために本考案は、所定の情報を有することを特徴とする色紙である。【０００６】所定の情報は、例えば立体手型であるが、実物大の紙の温もりを生かした手型によって直接対象者に会えない方にも対象者との一体感につながり、特に力士に関しては通常の色紙にはない実体感が伴い楽しむことができる。【０００７】所定の情報は、例えばサイン、詩歌、俳句等文言には点字を書き込み視覚障害の方にも充分楽しんでもらうことができる。
【考案の効果】
【考案を実施するための最良の形態】
【０００８】以下、図面に基づいて本考案の実施の形態を説明する。
図１は、本考案の実施の形態に係る色紙を示す図である。【０００９】色紙１は紙製であり、その表面に俳優、スポーツ選手、僧侶がサインを行う。サインには点字３を書き込む。色紙１には手型３が設けられる。【００１０】図２は、色紙を側面からみた図である。
【図面の簡単な説明】
【００１１】
【図１】色紙１を示す図
【図２】図１のＡ−Ａ線における断面図である。
【符号の説明】
【００１２】１  色紙
２  立体手型
３  点字
【図１】
0003102043.tif 000003
【図２】
0003102043.tif 000004